(57)【要約】【課題】軽量鋼材での、事務所・住宅・倉庫・仮設ハウス等、建築物、特に一時的に建設して、後に解体、該材を再利用・再度建設・解体を繰り返すリース扱いの作業の場合、部品・部材の点数が多く、建設工程の手間も多く要し、尚輸送・保管管理に該部材・部品が繰り返しての作業の結果、破損や痛みが多い等の課題がある。【解決手段】該、建築物の軸組の柱・合掌・梁・母屋を省き軽量化して、輸送及び保管時にはコンパクトに、しかも建築利用時に必要な 強度を確立して、該部材・部品を大きく枠内に収め点数を少なく、扱いによる痛み（破損）も少ないように構成した。【選択図】図１
2008291575.tif 000002
【特許請求の範囲】
【請求項１】
軸組が型鋼の建築物において、（以下図面と符号で説明する）耐震等に応じた強度な構造のユニット化に構成された１３ーＡ壁部材枠下部側面との３ー台輪、４ー接合穴を介して５−ボルト・ナットで該台輪に固設、再びＡ壁部材枠側面、11ーＡ面の１−異形穴にＢ壁部材枠側面、12ーＢの側面の２−突起物を挿入して、相互の面を接合後ｂ壁をスライド状態で降下して３−台輪に接合、再び４−台輪穴と３−台輪を５−ボルト・ナットを介して（固設）組み立てる工程を繰り返すことを特徴とする、軽量型鋼の壁等の組み立て建材（固定）と施工方法。
【請求項２】
請求項１、に記載の建築物の６−屋根ユニットを長手方向アーチ形状（スチール波板）の構造に構成した、該６−屋根ユニット７−長手方向両端を建築物の８−壁枠の上縁部に設置するが、（通常は屋根板長手方向の中間の桁方向幅に屋根荷重に耐えるのに、必要な支えの母屋材を設ける〔但し従来より桁幅が小さい場合の支えは必要としない〕）該６−屋根ユニットの支える為の母屋材等の支えを設置すること無く、アーチ形状波板自体の耐久力で、虹の架け橋の様な形状で７−屋根の長手方向両端のみを接合、９−ボルト・ナットで、固設され、但し６−アーチ状屋根ユニットは、本体屋根の長さに比例した適切な板厚で、屋根荷重に必要な強度を満たすことを特徴とする、軽量型鋼の壁等の組み立て建材（固定）と施工方法。 
【発明の詳細な説明】
【技術分野】
【０００１】
本発明は、建築物の各々部材をユニット化に構成、３−台輪と壁の11ー接合面を接合と同時に、ａ壁とｂ壁及び３−台輪を完全に（ロック）固設する構造と、施工方法に関するものである。
【０００２】
通常の屋根材の施工は、母屋等の支持材の上に設置がなされているが、本発明は該支持材等を省いて軽量化し、尚地震・暴風等の災害に強い建築物の構造と施工方法の提供を目的としたものである。
【背景技術】
【０００３】
従来より、主に鋼材等を使用する建築物は、軸組が柱・梁・合掌・母屋で構成されている。
【０００４】
尚、臨時に設営される仮設ハウス等は、本発明の建築物に比較して本体の部材・部品の点数が多く、組み立て、解体の作業に多くの時間を要し、輸送上の部材・部品の破損や痛みの消耗も激しく管理上にも、不都合が生じている。
【０００５】
上述の様な事態の改善策として、従来通りの工場生産で枠組のユニット化された壁等の部材を作り、それを固設する構造と施工方法が提案されている。
【特許文献１】特開平０７−３１７１８１号公報
【発明の開示】
【発明が解決しようとする課題】
【０００６】
解決しようとする問題点は、従来から特に再利用の為の移設が必要な仮設ハウスの構成は軸組工法で、柱・梁・合掌の軸組と床・壁・屋根・建具等の部材・部品等の点数が多い為、大きな施工労力を要すると言う課題がある。
【０００７】
移設可能なハウスの場合、必要に応じて、建設→解体→輸送→管理→輸送再び建設の作業が繰り返し行われるので、結果生じる様々な部材・部品の破損等や消耗が激く、維持が困難と言う課題がある。
【課題を解決するための手段】
【０００８】
本発明は、壁施工（工程）は壁部材を枠組のユニットに構成して、従来型の柱・梁・合掌等の軸組を省き、部材・部品の点数を減らし軽量化した構造で尚必要な強度維持ができる手段の構造を講じた。
【０００９】
屋根伏せ施工（工程）はアーチ形状のスチール鋼板を屋根ユニットに構成して、従来型屋根板を支える合掌、母屋を省き、必要な強度維持が可能な構造の手段を構成した。
【発明の効果】
【００１０】
本発明は、単体で耐震・暴風等の災害に強い壁面ユニットを、固設された台輪複数個、固定することにより、建築物全体の強度が上述の様な災害に強い建築物の構築が容易になった。
【００１１】
建築物の部材・部品ユニットの構造を軽量・簡単に構成して、更に施工も容易で上述のように繰り返し使用する場合の扱いが、迅速に行なえる。
【００１２】
上述の様な、従来型に比較して柱・梁・合掌・母屋等を省き主に鋼製の枠組ユニット構造に構成しているので、解体・輸送・保管上、該部材・部品ユニットの破損や痛みが少なく管理上経済的である。
【００１３】
アーチ形状の波板屋根の採用の結果、天井が広く、室内はすっきりと広い空間で、外見はアーチ型で美観的にもモダンな雰囲気の効果がある。
【００１４】
屋根部材の構造をアーチ形状のユニットに構成することにより、積雪・風等の荷重にも強く、従って合掌・母屋の支え材の必要がなく、必要な強度を確立して、安全で建築費用も安価で、その上モダンな屋根のハウスを提供するものである。
【発明を実施するための最良の形態】
【００１５】
建築物本体を大きな部材、部品に構成して、該部材、部品の相互の接合部分を簡単な構造で台輪（土台）と壁、壁と屋根を接合して、迅速に組み立てる（固設）施工方法を実現した。
【実施例】
【００１６】
本発明の１実施例にかかる、ユニット化した建築物の部材の構造と、組み立て（固設）施工方法を再度、図面の符号に基づき詳細に説明する。
【００１７】
符号（以下符号文字を省略する）基礎等の上に設置する３−台輪の上にａ壁ユニットの11−台輪接合枠面を５−ボルト・ナットで設置（固設）順次、壁ユニットａの12ー接合枠面の２−異形穴部分の拡大穴部分に、壁ユニットｂの10ー接合枠面の１−突起部分を挿入、両方の枠面を併せて壁ユニットｂをスライドしながら、降下し壁ユニットａに続いて壁ユニットｂを３−台輪に固設作業を順次繰り返し、（壁、出入り口・窓・換気口等必要に構成したユニット）壁の設置は完了する。
【００１８】
つづいて、スチール製波板のアーチ形状に型成された、６−アーチ形状屋根ユニットを（通常の屋根材を支える必要な強度に応じた建築物の梁・母屋）梁・母屋等の支えを必要とせず、ストレートに、８−壁の上縁から相互に向かい合う８−壁の上縁へ虹の懸け橋の様に長手方向の先端を９−ボルト・ナットで接合（固設）して屋根伏せ設置は完了する。
【図面の簡単な説明】
【００１９】
【図１】は台輪ユニットと壁ユニットの接合部分のＡ壁・Ｂ壁の側面を示す図である。
【図２】は台輪と壁・壁と屋根の接合（一部拡大）部分を示す断面の詳細図である。
【図３】はスチール製、アーチ形状波板を示す詳細図である。
【符号の説明】
【００２０】
１    壁と壁の接合異形穴
２    壁と壁の接合突起物
３    台輪（土台）
４    壁と台輪接合穴
５    台輪と壁の固設ボルト、ナット
６    アーチ形状スチール製、波板屋根ユニット
７    波板ユニット屋根の長手方向の両端部
８    壁枠の上縁部
９    壁上縁部と屋根の長手方向の両端部との固設ボルト、ナット
１０    Ｂ壁下部
１１    Ａ壁枠との接合面
１２    Ｂ壁枠との接合面
１３    Ａ枠下部
１４    アーチ形状スチール屋根ユニット側断面
１５    ６ー屋根の平面図
１６    Ａ壁
１７    Ｂ壁
１８    壁枠上縁の屋根接合穴
【図１】
2008291575.tif 000003
【図２】
2008291575.tif 000004
【図３】
2008291575.tif 000005